(57)【特許請求の範囲】
【請求項１】
台紙の表面に物品収納ケースを付設し、収納ケースの縁部に沿って線状脆弱部を台紙に設け、台紙の側縁を谷折部とした折返片を連設させた陳列兼用保存ケースにおいて、台紙の左右にその側縁を谷折部として折返片を連設し、内側に重合させる折返片の縦の長さを台紙の上下の側縁が露出するように短く形成し、外側に重合させる折返片の上下の側縁を台紙の露出する上下の側縁との接着部となし、その接着部に沿って線状脆弱部を設け、開封後に折返片の一方の側縁を仮止めする係合部を他方の折返片に設けた陳列兼用保存ケース。
【請求項２】
折返片同志の重合面に少なくとも一つの点接着部を設け、一方の折返片の点接着部の周囲に線状脆弱部を設けた請求項１に記載の陳列兼用保存ケース。
【発明の詳細な説明】
【技術分野】
【０００１】
本発明は、台紙の表面に物品収納ケースを付設し、収納ケースの縁部に沿って線状脆弱部を台紙に設け、台紙の側縁を谷折部とした折返片を連設させた陳列兼用保存ケースに関するものである。
【背景技術】
【０００２】
この種のケースとしては、特許文献１に記載されたものが知られている。
この公知のケースは、本体台紙と蓋体台紙（折返片）とが見開きの状態となるように連結されていて、外側端縁同志を袋とじ状に接着結合し、本体台紙には、品物を収納する透明カバー、品物の取り出し・収納用の開放口、蓋体台紙を係止する仮止め機構を設け、蓋体台紙にはその端部にライン状の切込などの開放機構（線状脆弱部）を設ける構成が採用されている。
【０００３】
このケースでは、本体台紙と蓋体台紙との一方の側縁は谷折部、他端側は袋とじとなっていて、左右の側縁のみが結合された状態となっている。しかしながら、上下の側縁は結合されることなく開放されていて、品物を収納している透明カバーの開口部も開口状態となっているから、陳列されている台紙の左右の側縁から押圧力を加えると、本体台紙と蓋体台紙との間が離開して上下方向に筒状の空間が形成されることになる。そのため、品物が開口部からこの空間を通って抜け落ちてしまう不都合があった。
【０００４】
また、品物、とりわけ化学品を使用した接着剤、薬剤、日用品などについては、成分表、用途、取扱方法、注意書きなど、多くの情報を消費者に開示することが要求されている。品物を収納した台紙の表面に情報を網羅的に記載しようとすると、勢い小さな文字で表わさざるを得なくなるから、消費者とりわけ高齢者にとっては読みづらいものとなる不都合もある。
【特許文献１】特開平９−１１８３６３号公報
【発明の開示】
【発明が解決しようとする課題】
【０００５】
本発明は、台紙の表面に物品収納ケースを付設し、収納ケースの縁部に沿って線状脆弱部を台紙に設け、台紙の側縁を谷折部とした折返片を連設させた陳列兼用保存ケースにおいて、折返片によってケース内に収納する物品を確実に保持させると共に大きな情報表示面が得られるようにすることを課題としたものである。
【課題を解決するための手段】
【０００６】
この技術的課題を解決するための第一の技術的手段は、（イ）台紙の左右にその側縁を谷折部として折返片を連設し、（ロ）内側に重合させる折返片の縦の長さを台紙の上下の側縁が露出するように短く形成し、（ハ）外側に重合させる折返片の上下の側縁を台紙の上下で露出する側縁との接着部となし、（ニ）その接着部に沿って線状脆弱部を設け、（ホ）開封後に折返片の一方の側縁を仮止めする係合部を他方の折返片に設けたこと、である。
第二の技術的手段は、折返片同志の重合面に少なくとも一つの点接着部を設け、一方の折返片の点接着部の周囲に線状脆弱部を設けたことである。
【０００７】
第一の技術的手段において、台紙にはその左右の側縁を谷折部として折返片が連設されているから、全体として折返片の大きさに比例して大きな情報開示面を得ることができる。
左右の折返片のうち、内側に重合させる折返片の縦の長さが短く形成されているから、台紙上に重合させた状態で台紙の上下の側縁が露出することになる。
その上に外側の折返片を重合させると、折返片の上下の側縁と台紙の上下の側縁とが直接対面する接着部となっているから、これを接着させることによって内側に重合させる折返片を挟み込んだ状態で台紙と左右の折返片との重合状態が固定される。
したがって、台紙と折返片の左右が谷折部、上下が結合された状態となるから、物品の収納状態は安定したものとなる。
【０００８】
外側に重合させる折返片には、その接着部に沿って線状の脆弱部が設けられているから、折返片を強制的に開けようとすると脆弱部から容易に切断されて折返片が開かれ、接着されていない内側の折返片も開くことができる。
したがって、台紙及び左右の折返片のほぼ全体を情報表示スペースとして利用できるのである。
また、本発明に係るケースは、係合部を利用して一方の折返片を他方の折返片に仮止めする構成が採用されているから、開封後に収納ケースに物品を収納した状態で折返片を仮止めし保存ケースとして利用することができる。
【０００９】
第二の技術的手段では、折返片同志の重合面に少なくとも一つの点接着部が設けられているから、台紙の上下の側縁の接着部の間において、外側の折返片の浮き上がりを防止でき、きれいな重合状態を形成することができる。
この場合、一方の折返片の点接着部の周囲には線状脆弱部が設けられているから、外側の折返片を開封しようとすると、最初にこの点接着部がきれいな形で折返片から切り離されることになる。切り離された側の折返片には穴があくが、この位置は予め設計できるため、情報表示部分が途切れてしまうのを防止することができる。
【００１０】
台紙としては、硬質プラスチック、厚手の紙、薄手のボール紙等が使用できるが、収納ケースが大きい場合には厚手のボール紙や薄手の段ボール紙を使用するようにしてもよい。
なお、折返片は、台紙と同じ素材のものを使用できるが、それより薄肉のものを使用した場合には、折返片を重合させた場合にゴワツキや厚手感が生じるのを防止することができる。
台紙や折返片に設ける線状の脆弱部としては、ミシン目、ジッパー、ライン状の切込などを使用することができ、折返片の素材や厚さなどを勘案して設計することになる。
【００１１】
収納ケースは、台紙側に開口させると共に台紙との固着部を備えた形態であればよく、ケース自体が透明であるか不透明であるかを問わない。また、その素材はプラスチックやボール紙を好適に使用することができるが、これに限定されるものでもない。
【００１２】
折返片の係合部は、折返片に直線状又は円弧状などの屈曲形に切り割ることによって容易に形成することができるから、一方の折返片の外側端縁や外側コーナー部をこの係合部に差し込んで係合させ、或いは折返片の外側端に差込片を突出させてこれを係合部に差し込むようにすればよい。
【００１３】
左右の折返片のいずれか又はその双方に、台紙とは反対側にさらに折返片を増設するようにしてもよい。この増設折返片は、前記の内側に重合させる折返片と同じ長さにしておくと、台紙に直近して最も外側に重合させられる折返片の上下の側縁のみを台紙の上下の側縁と接着させられるから、折返片の接着及び開封に特別の負担が掛かることもない。
【発明の効果】
【００１４】
収納する物品を確実に保持させられる結果、安全に陳列させられる利点がある。また、大きな情報表示面が得られる結果、多量の情報を大きな文字で表現できるし、図表を利用することも可能となるから、高齢者にとっても解り易い説明を作成することができることになる。
さらに、折返片を重合して台紙と接着させた後工程で物品を収納した収納ケースを台紙の表面に付設させることができるから、製造工程を単純化できる利点もある。
【発明を実施するための最良の形態】
【００１５】
図１〜３は、本発明に係る陳列兼用保存ケース１内に接着剤を充填したチューブ２を収納した状態における、正面図、左側面図及び背面図を示している。
本実施形態では、チューブ２の収納ケース５は透明プラスチックで形成してあって、その開口部に沿って外側に突出させた接着片６を台紙１０表面の略中央に接着させることによって台紙１０と一体化させている。
【００１６】
台紙１０は薄手のボール紙で形成してあって、その左右の側縁１１、１２を谷折部として折返片１３、１４を連設している（図４、５参照）。
折返片１３は、台紙１０の上下の側縁を露出させられるように縦の長さを短くしてあり、その上に折返片１４を重合させて、その上下の側縁と台紙１０裏面の上下の側縁とを接着して一体化させている（図３参照）。
折返片１４の上下の側縁の接着部の内方側に沿って、線状脆弱部としての切込１５、１５が形成してあって、この切込１５を切り開くことによって折返片１４を開けるようにしている（図４参照）。
【００１７】
この実施形態では、折返片１３、１４の重合部に点接着部１６、１６を設け、折返片１４が浮き上がらないように仮止めしている。
内側に位置する折返片１３の点接着部１６の周囲にはミシン目１７が成してあり、折返片１４を開く際にその点接着部１６が折返片１３から切り抜かれ、きれいな穴が開くようにしている（図４参照)。
【００１８】
折返片１４を開くと、折返片１３は台紙１０と接着されていないため、そのまま開くことができる（図５参照）。
台紙１０は、その中央部には、収納ケース５の開口縁の左右の縁部に沿ってミシン目２１、２２を設けると共に、その中間点を同じくミシン目２３で連結してあって、これらのミシン目２１、２２、２３を切り開くと収納ケース５が開口し、チューブ２を取り出せるようになっている（図５、６参照）。
なお、ミシン目２１、２２の上下の端部を結んで折り目２４、２５が形成され、上下に切り開らかれた台紙１０の開閉蓋片３、４は、再び収納ケース５の開口部を閉塞できるようにしている。
【００１９】
この実施形態では、折返片１３の谷折側に切り込みを設けて係合部２６を形成すると共に、折返片１４の外側縁に差込片２７を突設し、一旦開封した折り込み片１３、１４を再び重合させる際に、差込片２７を係合部２６に差し込んで重合状態を安定させられるようにしている。
【図面の簡単な説明】
【００２０】
【図１】陳列兼用保存ケースの正面図
【図２】陳列兼用保存ケースの左側面図
【図３】陳列兼用保存ケースの背面図
【図４】一方の折返片を開いた状態図
【図５】双方の折返片を開いた状態図
【図６】台紙の構成片を開いた状態図
【符号の説明】
【００２１】
１陳列兼用保存ケース、  ２チューブ、  ３、４台紙の開閉蓋片、  ５収納ケース、  ６収納ケースの接着片、  １０台紙、  １１、１２谷折線、  １３、１４折返片、  １５切込、  １６点接着部、  １７、２１、２２、２３ミシン目、  ２４、２５折り目、  ２６係合部、  ２７差込片
【図１】
0005044324.tif 000002
【図２】
0005044324.tif 000003
【図３】
0005044324.tif 000004
【図４】
0005044324.tif 000005
【図５】
0005044324.tif 000006
【図６】
0005044324.tif 000007